(57)【要約】【課題】室内外を断熱できるとともに、使用者が容易にサッシ障子をスライドさせることができる引違サッシの構造を提供する。【解決手段】開口部１２を閉鎖する室外側サッシ障子３Ａの戸先框６の室内１４側に配置され戸先框６と見付け方向に重なる框隠し部４２を有する第１サッシ縦枠（サッシ縦枠）４を備える引違サッシの構造において、戸先框６には、手掛け部６５が設けられ、框隠し部４２には、凹部４８ａが形成されていて、凹部４８ａを介して使用者が手掛け部６５に手先を掛けることが可能である。【選択図】図４
2015194058.tif 000002
【特許請求の範囲】
【請求項１】
開口部を閉鎖するサッシ障子の戸先框の室内側に配置され該戸先框と見付け方向に重なる框隠し部を有するサッシ縦枠を備える引違サッシの構造において、
前記戸先框には、手掛け部が設けられ、前記框隠し部には、凹部が形成されていて、
該凹部を介して使用者が前記手掛け部に手先を掛けることが可能であることを特徴とする引違サッシの構造。
【請求項２】
前記框隠し部には、前記凹部が形成されたカバー材が設置されていることを特徴とする請求項１に記載の引違サッシの構造。
【請求項３】
前記開口部を前記サッシ障子が閉鎖した状態において、
前記戸先框は、見付け方向において前記開口部を臨む側の端面が、前記框隠し部の見付け方向において前記開口部を臨む側の端面と面一となることを特徴とする請求項１または２に記載の引違サッシの構造。
【発明の詳細な説明】
【技術分野】
【０００１】
本発明は、引違サッシを開閉する際に手を掛けるための手掛け部を有する引違サッシの構造に関する。
【背景技術】
【０００２】
従来、サッシ枠およびサッシ障子の框に、アルミニウムなどの金属と樹脂とを用いた複合サッシが知られている（例えば、特許文献１参照）。このような複合サッシを用いることで、断熱性能を高めることができるとともに、室内側の意匠性を高めることができる。
また、引違窓のサッシにおいて、サッシ障子の戸先框の見付け方向の寸法を小さくし、開口部を閉鎖している状態のサッシ障子の戸先框が、サッシ縦枠と見込み方向に重なるようにした隠し框構造が知られている（例えば特許文献２参照）。
そして、複合サッシにおける隠し框構造では、戸先框がサッシ縦枠の室内側の部分と見込み方向に重なることによって、より断熱性能を高めることができる。
【先行技術文献】
【特許文献】
【０００３】
【特許文献１】特開２００１−０６５２４５号公報
【特許文献２】特開２０１０−２８５８３６号公報
【発明の概要】
【発明が解決しようとする課題】
【０００４】
ところで、引違サッシは、サッシ障子を、開口部を開閉するためにスライドさせる際に、使用者が戸先框や召合框に手を掛けるように構成されているが、隠し框構造の引違サッシでは、サッシ障子が開口部を閉鎖している状態において戸先框がサッシ縦枠と見込み方向に重なるため、使用者が室内側から戸先框に手を掛けることが困難である。
このため、サッシ障子のうち室内側に配置される室内側サッシ障子を、開口部を開放するためにスライドさせる場合には、使用者は、室内側サッシ障子の召合框に手を掛けている。
しかしながら、サッシ障子のうち室外側に配置される室外側サッシ障子は、召合框の室内側に室内側サッシ障子の召合框が配置されているため、使用者は、室内から室外側サッシ障子の召合框にも手を掛けることが困難である。
【０００５】
これに対し、特許文献２には、室外側サッシ障子の戸先框に、召合框側に突出し、サッシ縦枠と見込み方向に重ならない引手が設けられていて、使用者が引手に手を掛けてサッシ障子をスライドさせることができるサッシが開示されている。しかし、このような引手は、複合サッシの場合、戸先框のアルミニウムなどの金属で形成された室外側の部材に固定されているため、室内外の温度差が大きいと、この室外側の部材を介して室外の冷温で引手が冷却され、断熱性能が低下するとともに、引手に結露が生じるという問題がある。
また、ガラス面に引手を接着するということも考えられるが、室外側から接着面が見えてしまい、見栄えがよくない。
【０００６】
そこで本発明は、室内外を断熱できるとともに、使用者が容易にサッシ障子をスライドさせることができる引違サッシの構造を提供することを目的とする。
【課題を解決するための手段】
【０００７】
上記目的を達成するため、本発明に係る引違サッシの構造は、開口部を閉鎖するサッシ障子の戸先框の室内側に配置され該戸先框と見付け方向に重なる框隠し部を有するサッシ縦枠を備える引違サッシの構造において、前記戸先框には、手掛け部が設けられ、前記框隠し部には、凹部が形成されていて、該凹部を介して使用者が前記手掛け部に手先を掛けることが可能であることを特徴とする。
【０００８】
本発明では、サッシ縦枠の框隠し部に形成された凹部を介して、使用者が戸先框に設けられた手掛け部に、手先を掛けることが可能であることにより、使用者は、サッシ障子を容易にスライドさせることができる。
また、戸先框は、手掛け部が設けられているところ以外は、室内側に露出しないことにより、戸先框から室内への熱の伝達が抑制されるため、断熱性能を高めることができる。
【０００９】
また、本発明に係る引違サッシの構造では、前記框隠し部には、前記凹部が形成されたカバー材が設置されていることが好ましい。
このような構成とすることにより、框隠し部にカバー材を設置すれば容易に凹部を形成することができる。
【００１０】
また、本発明に係る引違サッシの構造では、前記開口部を前記サッシ障子が閉鎖した状態において、前記戸先框は、見付け方向において前記開口部を臨む側の端面が、前記框隠し部の見付け方向において前記開口部を臨む側の端面と面一となることが好ましい。
このような構成とすることにより、戸先框が框隠し部によって見込み方向から見て確実に隠れるため、戸先框が室内に露出する部分がなく断熱性能を高めることができるとともに、意匠性を向上することができる。
【発明の効果】
【００１１】
本発明によれば、サッシ縦枠の框隠し部に形成された凹部を介して、使用者が戸先框に設けられた手掛け部に、手先を掛けることが可能であることにより、使用者は、サッシ障子を容易にスライドさせることができる。
また、戸先框は、手掛け部が設けられているところ以外は、室内側に露出しないことにより、戸先框から室内への熱の伝達が抑制されるため、断熱性能を高めることができる。
【図面の簡単な説明】
【００１２】
【図１】本発明の実施形態によるサッシの一例を示す図で水平断面図である。
【図２】図１の室内側から見た正面図である。
【図３】図１の室内側から見た斜視図である。
【図４】（ａ）は図２のＡ−Ａ線断面図、（ｂ）は図２のＢ−Ｂ線断面図である。
【発明を実施するための形態】
【００１３】
以下、本発明の実施形態による引違サッシの構造について、図１乃至図４に基づいて説明する。
図１に示すように、本実施形態による引違サッシ１は、アルミニウムと樹脂の複合のサッシで、建物１１の開口部１２に固定されたサッシ枠２と、サッシ枠２の内部に見付け方向（図中の矢印Ｃの方向）にスライド可能に設置される室外側サッシ障子３Ａおよび室内側サッシ障子３Ｂと、を備えている。
【００１４】
図２及び図３に示すように、サッシ枠２は、開口部１２（図２参照）の縁部に沿った矩形状に形成されていて、見付け方向に延在するサッシ上枠２１およびサッシ下枠２２と、上下方向（図中の矢印Ｄの方向）に延在する一対のサッシ縦枠４，５と、を有している。ここで、一対のサッシ縦枠４，５のうち、室外側サッシ障子３Ａおよび室内側サッシ障子３Ｂが開口部１２を閉鎖した状態において、室外側サッシ障子３Ａと対向するサッシ縦枠４を第１サッシ縦枠４とし、室内側サッシ障子３Ｂと対向するサッシ縦枠５を第２サッシ縦枠５として以下説明する。
【００１５】
室外側サッシ障子３Ａは、見付け方向に延在する上框３１および下框３２と、上下方向に延在する召合框３３および戸先框６と、これらの框６，３１〜３３の内側に配置されるガラス３４と、を有している。
ここで、サッシ枠２の第１サッシ縦枠４および室外側サッシ障子３Ａの戸先框６以外は、公知のものとして以下説明する。
【００１６】
図４（ａ）に示すように、第１サッシ縦枠４は、建物１１に固定される本体部４１と、本体部４１に突設配置され、開口部１２を閉鎖している状態の室外側サッシ障子３Ａの戸先框６の室内１４側に配置される框隠し部４２と、框隠し部４２の室内１４側に配置される樹脂カバー材４３と、を有している。
框隠し部４２および樹脂カバー材４３は、本体部４１に係止されているとともに、互いに係合している。
【００１７】
框隠し部４２は、室外１３側の端部に設けられて板面が向く方向が見込み方向（図中の矢印Ｅの方向）となる第１板部４４と、本体部４１と見付け方向に離間する側（図４の右側）の端部に設けられて板面が向く方向が見付け方向となる第２板部４５と、本体部４１と係合する係合部４６と、を有している。これらの第１板部４４、第２板部４５および係合部４６は、樹脂を材料として一体に形成されている。
なお、框隠し部４２には、第１板部４４、第２板部４５および係合部４６以外にも第１板部４４の室内１４側および第２板部４５の本体部４１側に断熱性能や強度を確保するための部材が適宜設けられている。
【００１８】
第１板部４４は、室外１３側の面４４ａが、戸先框６の室内１４側の面６ａと隙間をあけて対向している。
また、第１板部４４と第２板部４５との連結部分４７は、角部を本体部４１側で、かつ室内１４側へ窪ますように凹部状に形成されている。
また、図４（ｂ）に示すように、框隠し部４２は、上下方向の中間部の所定の高さ範囲において、第１板部４４と第２板部４５との連結部分４７（図４（ａ）参照）が切り込まれ、切り込まれた部分を覆うように、カバー材４８が設置されている。
このカバー材４８には、室内１４側および本体部４１側に窪んだ凹部４８ａが形成されている。凹部４８ａは、室外１３側で、かつ開口部１２を臨むように開口されている。
【００１９】
また、本実施形態では、第１板部４４の本体部４１側の端部近傍に、室外１３側に向かって突出し、先端部近傍が、開口部１２を閉鎖する室外側サッシ障子３Ａの戸先框６と接触する突出片４９が設けられている。
【００２０】
図４（ａ）および（ｂ）に示すように、室外側サッシ障子３Ａの戸先框６は、室外１３側に設けられアルミニウムを材料として形成された室外側形材６１と、室内１４側に設けられ樹脂を材料として形成された室内側形材６２と、を有している。室外側形材６１および室内側形材６２は、上下方向に延在しているとともに、互いに係合し、ガラス３４を係止している。
室外側サッシ障子３Ａが開口部１２を閉鎖している状態において、戸先框６は、召合框３３側（図４の右側・見付け方向において開口部１２を臨む側）の端面６ｂが、見付け方向において、框隠し部４２の第２板部４５の第２サッシ縦枠５側（図４の右側・見付け方向において開口部１２を臨む側）の端面４５ａと面一、もしくは第２板部４５よりも第１サッシ縦枠４側（図４の左側）に配置されている。
【００２１】
室内側形材６２は、板面が見込み方向を向く板部６３と、板部６３と一体に形成され室外側形材６１と係合する係合部６４と、板部６３の召合框３３側の端部から室内１４側に向かって突出する手掛け部６５と、を有している。
図４（ｂ）に示すように、室外側サッシ障子３Ａが開口部１２を閉鎖している状態において、手掛け部６５は、框隠し部４２のカバー材４８と対向する部分では、カバー材４８の凹部４８ａの内面と離間し、凹部４８ａの内面との間の空間Ｓには、使用者が手先を挿入可能に構成されている。
また、図４（ａ）に示すように、室外側サッシ障子３Ａが開口部１２を閉鎖している状態において、手掛け部６５は、框隠し部４２のカバー材４８と対向しない部分では、第１板部４４と第２板部４５との凹部状の連結部分４７内に案内され、この連結部分４７とはわずかな隙間をあけて離間している。なお、手掛け部６５と第１板部４４と第２板部４５との連結部分４７との間は、使用者の手先が入りにくいように狭小に構成されている。
【００２２】
次に、上述した引違サッシの構造の作用・効果について図面を用いて説明する。
上述した本実施形態による引違サッシ１では、第１サッシ縦枠４の框隠し部４２に設置されたカバー材４８に形成された凹部４８ａの内面と、室外側サッシ障子３Ａの戸先框６に設けられた手掛け部６５との間の空間Ｓには、使用者が手先を挿入可能に構成されていることにより、使用者が手掛け部６５に手先を掛けて室外側サッシ障子３Ａを容易にスライドさせることができる。
また、手掛け部６５は、戸先框６の室内側形材６２から突出していることにより、戸先框６のアルミニウムを材料として形成された室外側形材６１に室外側サッシ障子３Ａをスライドさせるための引手を固定する従来のサッシと比べて、断熱性能を高めることができる。
【００２３】
また、室外側サッシ障子３Ａが開口部１２を閉鎖している状態において、戸先框６は、召合框３３側の端面６ｂが、框隠し部４２の第２板部４５の第２サッシ縦枠５側の端面４５ａよりも見付け方向において開口部１２の縁部側、もしくは第２板部４５の第２サッシ縦枠５側の端面４５ａと面一に配置されていることにより、戸先框６が框隠し部４２によって見込み方向から見て確実に隠れるため、戸先框６が室内１４に露出する部分がほとんどなく断熱性能を高めることができるとともに、意匠性を向上することができる。
【００２４】
また、室外側サッシ障子３Ａが開口部１２を閉鎖している状態において、手掛け部６５は、框隠し部４２のカバー材４８と対向しない部分では、第１板部４４と第２板部４５との凹部状の連結部分４７との間にわずかな隙間しかないため、框隠し部４２のカバー材４８と対向する部分と比べて流出入する熱を少なくすることができる。
また、框隠し部４２には、戸先框６側に突出する突出片４９が設けられていることにより、突出片４９が戸先框６と框隠し部４２との隙間を室外１３側と室内１４側とに区分できるため、室内外の熱の伝導を抑制できて断熱性能を高めることができる。
【００２５】
以上、本発明による引違サッシの構造の実施形態について説明したが、本発明は上記の実施形態に限定されるものではなく、その趣旨を逸脱しない範囲で適宜変更可能である。
例えば、上記の実施形態では、框隠し部４２に、凹部４８ａが形成されたカバー材４８が設置されているが、框隠し部４２の第１板部４４と第２板部４５とが、手掛け部との間に使用者の手先が挿入可能な凹部を形成するように連結されていてもよい。
また、上記の実施形態では、第１サッシ縦枠４の框隠し部４２に設置されたカバー材４８に凹部４８ａが形成され、室外側サッシ障子３Ａの戸先框６に手掛け部６５が設けられているが、第２サッシ縦枠５に、カバー材４８が設置された框隠し部４２に相当する部材を設け、室内側サッシ障子３Ｂの戸先框６Ｂに、手掛け部６５を設けてもよい。
【００２６】
また、上記の実施形態では、框隠し部４２は、カバー材４８が設置されていない部分では、第１板部４４と第２板部４５との連結部分４７が凹部状に形成されているが、第１板部４４と第２板部４５とは角部をなすように連結されていてもよい。そして、第１板部４４と第２板部４５とが角部をなすように連結されている部分には、手掛け部６５が、第１板部４４または第２板部４５と当接可能に構成されていてもよい。
【００２７】
また、上記の実施形態では、框隠し部４２には、戸先框６側に突出する突出片４９が設けられているが、設けられていなくてもよい。また、突出片４９の先端部は、戸先框６と接触せず、わずかな隙間をあけて戸先框６と離間していてもよい。また、框隠し部４２に対して突出片４９が設けられる位置は、適宜設定されてよい。また、第１板部４４から戸先框６側に突出する突出片４９の代わりに、図４（ｂ）に破線で示すような、カバー材４８から戸先框６側に突出する突出片４８ｂが設けられていてもよいし、これらの突出片４９，４８ａが両方設けられていてもよい。
【００２８】
また、上記の実施形態では、室外側サッシ障子３Ａが開口部１２を閉鎖している状態において、戸先框６は、召合框３３側の端面６ｂが、框隠し部４２の第２板部４５の第２サッシ縦枠５側の端面４５ａよりも見付け方向において開口部１２の縁部側、もしくは第２板部４５の第２サッシ縦枠５側の端面４５ａと面一に配置されているが、戸先框６の一部が框隠し部４２と見込み方向に重ならず、室内１３側に露出されていてもよい。
また、上記の実施形態では、手掛け部６５は、戸先框６室内側形材６２の板部６３から室内１４側に突出する突出片の形態であるが、所定の高さにおいて戸先框６の室内１４を向く面に形成されて室外１３側に窪んだ凹部の形態としてもよい。この場合、使用者はこの戸先框６に形成された凹部に手を掛けることで室外側サッシ障子３Ａをスライド移動させることができるように構成されている。
【００２９】
また、上記の実施形態では、引違サッシ１は、アルミニウムと樹脂の複合サッシであるが、例えば、アルミサッシや樹脂サッシなど複合サッシ以外のサッシとしてもよい。
また、上記の実施形態では、引違サッシ１は、１つの室外側サッシ障子３Ａと１つの室内側サッシ障子３Ｂとを有する２本引きの引違サッシであるが、１つ以上のサッシ障子がサッシ枠の内部に見付け方向にスライド可能に設置されているサッシであればよい。例えば、２つの室外側サッシ障子と２つの室外側サッシ障子とを有する４本引きの引違サッシや、室外側サッシ障子と室外側サッシ障子の一方は固定され、他方がスライドするサッシとしてもよい。また、室外側サッシ障子と室外側サッシ障子とは見付け方向の寸法が異なっていてもよい。
【００３０】
また、上記の実施形態では、引違サッシ１は、室内１４側から見て、室外側サッシ障子３Ａが左側に配置され、室内側サッシ障子３Ｂが右側に配置されているが、逆に配置されていてもよい。また、サッシ枠２にサッシ障子のスライドをガイドするレールが３つ以上見込み方向に並んで設けられていて、３つ以上のサッシ障子がそれぞれレールにガイドされるように構成されたサッシとしてもよい。
【符号の説明】
【００３１】
１  引違サッシ
２  サッシ枠
３Ａ  室外側サッシ障子
３Ｂ  室内側サッシ障子
４  第１サッシ縦枠（サッシ縦枠）
６  戸先框
６ｂ  端面
１２  開口部
１３  室外
１４  室内
４１  本体部
４２  框隠し部
４５  第２板部
４５ａ  端面
４８  カバー材
４８ａ  凹部
４９  突出片
６２  室内側形材
６５  手掛け部
Ｓ  空間
【図１】
2015194058.tif 000003
【図２】
2015194058.tif 000004
【図３】
2015194058.tif 000005
【図４】
2015194058.tif 000006